(57)【特許請求の範囲】
【請求項１】
間隙をおいて相対する建築躯体の少なくとも一方をパラペット躯体とし、上記パラペット躯体上面部の上記間隙側と他方の建築躯体にそれぞれ支持部材を固定し、
両側の支持部材の上部にホルダを架設し、ホルダには上記躯体間の間隙よりも幅広で上記パラペット躯体の上面部の外側端よりも内側に配置されるジョイントカバーを装着するとともに、
上記両側の支持部材の上記間隙側の上下部には、上記間隙を塞ぐ止水板を選択的に取り付けるための複数の取付部を一体に形成し、
上記パラペット躯体上面部に設けられた支持部材を中空に形成し、この中空部の外側面に、下向きに開口して上記パラペット躯体の上面部全体を覆う水切笠木の内側の端部又は上記パラペット躯体上面部の間隙側の一部を覆う水切カバーの内側の端部に選択的に係合する係合溝を形成し、かつ上記支持部材に一体に形成されて上記パラペット躯体の上面部に接する固定縁の端部を、上記ジョイントカバーの内側に配置し、上記固定縁の端部を立ち上げて起立縁を形成し、かつ起立縁の上端からさらに外向きに返し縁を形成し、
さらに上記パラペット躯体上面部に設けられた支持部材の上部には、上記ホルダに係止する固定具を支持部材の長手方向に沿って摺動可能に装着する係止溝と上記支持部材とカバー材の裏面とを密閉する気密材の取付溝とを、上記係止溝が上記間隙側で、上記取付溝が上記間隙と反対側になるように一体に形成した
ことを特徴とするエキスパンションジョイント装置。
【請求項２】
前記建築物躯体の他方がパラペット躯体である請求項１記載のエキスパンションジョイント装置。
【請求項３】
前記建築物躯体の他方が壁躯体である請求項１記載のエキスパンションジョイント装置。
【請求項４】
前記パラペット躯体上部に配した前記水切笠木は、その内側に形成された起立部が前記支持部材の係合溝に係止され、外側に形成された垂下部はパラペット躯体の支持部材の固定縁の端部に当接し、位置合せしてパラペット躯体上面部に固定された水切り用ホルダに係止された請求項１記載のエキスパンションジョイント装置。
【請求項５】
前記パラペット躯体上に配した前記水切カバーは、その内側に形成された起立部が前記支持部材の係合溝に係止され、外側に形成された垂下部はパラペット躯体の支持部材の固定縁端部に当接して取着した請求項１記載のエキスパンションジョイント装置。
【請求項６】
前記パラペット躯体上面部の支持部材及び前記水切カバーの全面を、下開口のコ字状ジョイントカバーの内側に収納し、ジョイントカバーで包み込み状態にして覆った請求項８記載のエキスパンションジョイント装置。
【発明の詳細な説明】
【０００１】
【発明の属する技術分野】
本発明はエキスパンションジョイント装置に関する。
【０００２】
【従来技術】
一般に、エキスパンションジョイント装置は、間隙をおいて相対する建築物躯体の両方に建築物のパラペット躯体にそれぞれ支持部材を固定し、両側の支持部材上にホルダを介して上記パラペット躯体間との間隙との間を覆うジョイントカバーを装着してなるものである。また、通常は、実公平６ー１１２８１号公報の第１図に示されるように、支持部材（１ａ）はアルミニウムの押出型材から構成され、建築物躯体上面に固定されている。
【０００３】
ところで、前者のジョイント装置では、建築物のパラペット躯体の幅寸法とその躯体間間隙が大きくなると、ジョイントカバーは建築物躯体上面の全面を覆うにはジョイントカバーの幅が著しく大きくなり、風等に対する強度に問題が生じる。したがって、ジョイントカバーで覆うことができない場合は、後者の水切笠木によって残った部分の全面を覆うか、あるいは水切カバーによって残った部分の一部のみを覆い、雨水が躯体間の間隙内に浸入できないように構成されている。
【０００４】
【発明が解決しようとする課題】
しかしながら、後者の水切笠木と水切カバーの使い分けは必ずしも明確ではないほか、水切笠木と水切カバーとでは支持部材の構造も異なるので、それぞれの水切笠木と水切カバーの各種部材を対応させて現場に搬送しなければならないという面倒があった。
【０００５】
また、建築物躯体間の間隙が大きくなると、ジョイントカバーの幅も広くなるため重量も大きくなるので、支持部材による支持強度も強化される必要がある。
【０００６】
本発明は上記問題点を解消し、水切笠木にも水切カバーにも対応することができるとともに、間隙が大きくなってもジョイントカバーをその間隙の大きさに添う程度で対応できるから、十分な強度で支持することができるエキスパンションジョイント装置を提供することをその課題とする。
【０００７】
【課題を解決するための手段】
前記課題を解決するため、本発明に係るエキスパンションジョイント装置は、間隙をおいて相対する建築躯体の少なくとも一方をパラペット躯体とし、上記パラペット躯体上面部の上記間隙側と他方の建築躯体にそれぞれ支持部材を固定し、両側の支持部材の上部にホルダを架設し、ホルダには上記躯体間の間隙よりも幅広で上記パラペット躯体の上面部の外側端よりも内側に配置されるジョイントカバーを装着するとともに、上記両側の支持部材の上記間隙側の上下部には、上記間隙を塞ぐ止水板を選択的に取り付けるための複数の取付部を一体に形成し、上記パラペット躯体上面部に設けられた支持部材を中空に形成し、この中空部の外側面に、下向きに開口して上記パラペット躯体の上面部全体を覆う水切笠木の内側の端部又は上記パラペット躯体上面部の間隙側の一部を覆う水切カバーの内側の端部に選択的に係合する係合溝を形成し、かつ上記支持部材に一体に形成されて上記パラペット躯体の上面部に接する固定縁の端部を、上記ジョイントカバーの内側に配置し、上記固定縁の端部を立ち上げて起立縁を形成し、かつ起立縁の上端からさらに外向きに返し縁を形成し、さらに上記パラペット躯体上面部に設けられた支持部材の上部には、上記ホルダに係止する固定具を支持部材の長手方向に沿って摺動可能に装着する係止溝と上記支持部材とカバー材の裏面とを密閉する気密材の取付溝とを、上記係止溝が上記間隙側で、上記取付溝が上記間隙と反対側になるように一体に形成したことを特徴とする。
【０００８】
なお、前記建築物躯体の他方はパラペット躯体である場合もあり、壁躯体の場合もある。
【０００９】
また、前記パラペット躯体上部に配した前記水切笠木は、その内側に形成された起立部が前記支持部材の係合溝に係止され、外側に形成された垂下部はパラペット躯体の支持部材の固定縁の端部に当接し、位置合せしてパラペット躯体上面部に固定された水切り用ホルダに係止されるようにするのがよい。
【００１０】
加えて、前記パラペット躯体上に配した前記水切カバーは、その内側に形成された起立部が前記支持部材の係合溝に係止され、外側に形成された垂下部はパラペット躯体の支持部材の固定縁端部に当接して取着するのがよい。
【００１１】
この場合、前記パラペット躯体上面部の支持部材及び前記水切カバーの全面を、下開口のコ字状ジョイントカバーの内側に収納し、ジョイントカバーで包み込み状態にして覆うのが好ましい。
【００１２】
【発明の実施の形態】
図１において符号１は相対して隣り合う建築物の屋上のパラペット躯体を示す。このパラペット躯体１は互いに間隙Ｓをおいて相対して設置された建築物の屋上部に設けられたもので、両パラペット躯体１上面部には支持部材２が固定され、両側の支持部材２上にはホルダ３が架設されるとともに、ホルダ３上には上記間隙を覆うジョイントカバー４が装着されている。
【００１３】
支持部材２はアルミニウムの押出型材から構成された長尺の部材で、中空部５を備えるとともに、中空部５の下端から外側に固定縁６が形成されている。固定縁６はパラペット躯体１上面部に当接され、ネジ７、ボルト等によって固定される。固定縁６の端部はジョイントカバー４の内側に配置されるようにする。
【００１４】
また、図２に示されるように、固定縁６の端部は立ち上げられて起立縁８が形成され、かつ起立縁８の上端からさらに外向きに返し縁９が形成されている。この返し縁９は水切カバーの止め用、水切笠木用ホルダの位置合わせ用及びシール材用の堰止め縁を兼ねている。
【００１５】
上記中空部５の内側（間隙側）の上下部には止水板用取付部が形成されている。上部取付部は大小斜めの取付片１１によって間をおき一体形成され、下部取付部は嵌合溝１２によって形成されている。
【００１６】
中空部５の上部にはホルダ３を係止する後述の固定具２０を摺動可能に装着する係止溝１３と、支持部材２とジョイントカバー４の裏面とを密閉する気密材１４の取付溝１５とが一体に形成されている。上記係止溝１３は間隙側に配されている。
【００１７】
さらに、中空部５の外側には下向きに開口する係合溝１０が形成されている。
【００１８】
ジョイントカバー４もアルミニウムの押出型材又はステンレス板から構成され、その寸法は躯体間間隙Ｓよりも幅広で、パラペット躯体の外側端間の寸法よりも幅狭に設定されている。両側は下方に屈曲され、その下端には内側に曲げられた係止縁４ａが形成されている。
【００１９】
次に、止水板１６を上部取付部に取り付けるときは、止水板１６の両側縁を取付片１１にネジ止めすればよい。止水板１６を下部取付部に取り付けるときは、止水板１６の両側膨突縁を嵌合溝１２に嵌合すればよい。これにより、パラペット躯体１間の間隙Ｓを塞ぐ各種止水板１６を、必要に応じて上又は下に選択的に取り付けることができる。
【００２０】
また、ジョイントカバー４を取り付ける前に、まず両側の支持部材２の長手方向に沿って間隔をおいてホルダ３を両支持部材２に架設する。ホルダ３は短尺の部材で、中央のベース３ａとベース３ａの両端に挿入結合された係止片３ｂとから構成され、ベース３ａの長手に沿ってアリ溝（又は長孔）が形成され、このアリ溝に係止片３ｂの突片１７を挿入して形成されている。そして、支持部材２の上部の係止溝１３に係止させた板ナット１９ａに上記ベース３ａを貫通したボルト１９ｂを螺合させ、ボルト１９ｂの頭部に係合させたＭ字形バネ板１９ｃからなる固定具２０をベース３ａ上面に圧接させ、これによりホルダ３を支持部材２側に押し止めている。このように、上記板ナット１９ａとボルト１９ｂとバネ板１９ｃとにより固定具２０が構成されているが、この固定具２０は上記係止溝１３に沿って摺動させることにより位置調整が可能である。
【００２１】
気密材１４は、その下端側方に突出した膨突部を支持部材２の中空部５の外の取付溝１５に嵌込めばよい。
【００２２】
ジョイントカバー４はホルダ３上から下方に押し付け、両側の係止縁４ａをホルダ３の係止片３ｂに弾性的に係止させればよい。
【００２３】
なお、隣接するジョイントカバー４の突合せ部には、排水ジョイント２３が係着されている。
【００２４】
次に、パラペット躯体１上面部のうちジョイントカバー４で覆われない部分は、水切用ホルダ２４を介して水切笠木２５によって覆われる。水切用ホルダ２４もパラペット躯体１の上面部の長手方向に間隔をおいて固定されるもので、中央の筒状の（アリ溝状でもよい）係合片２４ａと内側の支持片２４ｂと外側の係止片２４ｃとから構成され、係合片２４ａの両端に支持片２４ｂと係止片２４ｃとを挿入することにより一体に形成されている。係合片２４ａと支持片２４ｂとはパラペット躯体１にネジ止め固定されている。なお、支持片２４ｂは上記支持部材２の起立縁８の外側に当接して配置され、起立縁８は支持片２４ｂの位置決めをする。
【００２５】
水切笠木２５はパラペット躯体１の幅よりもやや小さい幅寸法に設定され、傾斜した水切部の内側に起立部２６を、外側に垂下部２７を備え、全体が略Ｚ字形になるように形成されている。そして、内側の起立部２６は支持部材２の係合溝１０の内部に係合され、外側の垂下部２７は上記水切用ホルダ２４の係止片２４ｃに係止されて固定されている。
【００２６】
なお、図示したもののうち左側はジョイントカバー４の裏に排水ジョイントを、水切笠木２５の裏にはホルダを配置した状態を表わし、右側はホルダにジョイントカバー４を、水切笠木２５の裏に排水ジョイント２２を配置した状態を表わしているが、両側とも同じ構成である。
【００２７】
ところで、上記支持部材２の起立縁８の外側には図２に示されるように、コーキング材３８等のシール材が打設されている。コーキング材３８は返し縁９によってその高さが抑えられるので、打ち込み作業が容易である。
【００２８】
次に、図３は相対する建築物躯体の一方がパラペット躯体１、他方が壁躯体３０の場合の例で、パラペット躯体１上の構成は図１と同じである。
【００２９】
壁躯体３０には第１の支持部材２ａと第２の支持部材２ｂとが固定されている。第１の支持部材２ａは長尺の部材で、係合溝３１が形成され、この係合溝３１にはホルダ３の一端の立ち上げ部３２とジョイントカバー４の側縁３３とが係合するように形成され、下方にはホルダ３の突片を装着する上向き溝が、その下方には止水板用溝が形成されている。ジョイントカバー４の側縁３３が係合溝３１の内側に係合されるため、この部分は塞ぎカバー３４を係着することによって塞ぐ。
【００３０】
第２の支持部材２ｂは長尺で、止水板１６を取り付けるための上部取付部と下部取付部が形成されている。この取付部に対する止水板１６の取付態様は図１の例と同じである。
【００３１】
図４は、相対する建築物躯体がいずれもパラペット躯体１で、その上面部の支持部材２の外側に、かつジョイントカバー４の内方に水切笠木２５でなく水切カバー３５を取り付けた例である。支持部材２、ホルダ、ジョイントカバー４は図１のものと同じであり、説明は省略する。
【００３２】
パラペット躯体１の上面部には支持部材２の係合溝１０と、固定縁６の突出縁８に渡って水切カバー３５が取り付けられている。この水切カバー３５は図５に詳しく示されるように、斜めの水切部３５ａの内側に起立部３５ｂを、外側に第１の垂下部３５ｃを形成するとともに、第１の垂下部３５ｃの下端から折り返し部３５ｄを形成し、折り返し部３５ｄの端部から第２の垂下部３５ｅを形成して成るものである。
【００３３】
水切カバー３５は上記起立部３５ｂを支持部材２の係合溝１０に係合させるとともに、第２の垂下部３５ｄを支持部材２の起立縁８の外側に当接させてネジ３７で止めることによって、水切カバー３５の中間を支持部材２とで空隙を残した空間部を構成しながら確実に固定されている。なお、折り返し部３５ｄは起立縁８に連続する返し縁９の裏側に係合するようにする。したがって、支持部材２の起立縁８は水切カバー３５を位置決めし、また返し縁９は水切カバー３５が浮き上がるのを有効に防止することができる。
【００３４】
また、上記折り返し部３５ｄと第２の垂下部３５ｄとパラペット躯体１上面部との間にはコーキング材３８が打設され、これにより水切カバー３５とパラペット躯体１との間の水密を保つとともに、水切カバー３５の固定用ネジ３７から雨水が浸入するのを防止している。
【００３５】
パラペット躯体上面部の支持部材２及び水切カバー３５の全面はコ字状ジョイントカバー４の内側に収納され、ジョイントカバー４により包み込み状態になって覆われている。
【００３６】
次に、図６は相対する建築物躯体の一方がパラペット躯体１、他方が壁躯体３０の場合の例で、パラペット躯体１上の構成は図４と同じであり、壁躯体３０の構成は、支持部材２が一体の長尺部材から構成される点を除き、図３と同じである。上記支持部材２Ａには止水板取付部が上下に一体に形成されている。
【００３７】
なお、パラペット躯体１上の支持部材２は、図７に示されるように気密材１４の取付溝１５を上向きに開口するように形成し、その下方に水切笠木２５（又は水切カバー）の係合溝１０を形成し、上部の係止溝１３の間隙側の下に止水板用受溝を設けるようにしてもよい。
【００３８】
【発明の効果】
請求項１に係る発明によれば、ジョイントカバーの大きさは、パラペット躯体間の間隙よりも幅広で上記パラペット躯体の外側端間の寸法よりも幅狭でよいので、建築物躯体間の間隙やパラペット躯体の幅寸法が大きくなったとしても、これに十分に対応することができる。そして、パラペット躯体の上面部でジョイントカバーで覆い切れない部分は水切カバー又は水切笠木を選択的に配置することによって対応できるから、雨仕舞の問題もない。
【００３９】
また、パラペット上の支持部材を中空に形成したので、支持部材自体の強度が高くなる。このため、建築物躯体間の間隙が広くなり、ジョイントカバーの幅も広く、重量も大きくなっても、十分な支持強度が得られる。
【００４０】
また、支持部材の外側面に下向きに開口する係合溝を形成し、この係合溝に対してパラペット躯体上面部全体を覆う水切笠木の内側の端部又は上記パラペット躯体上面部の一部を覆う水切カバーの内側の端部を選択的に係合させるようにしたので、水切笠木にも水切カバーにも対応することができる。したがって、基本的な部分を共通化することができるので、建築物躯体間の間隙又はパラペット躯体の幅寸法が広くなっても、構成部材の取り扱いや施工が楽になる。
【００４１】
さらに、支持部材の前記間隙側の上下部には、前記間隙を塞ぐ止水板を選択的に取り付けるための取付部を一体形成したので、止水板の位置を上下いずれにも選択することができる。
【００４２】
加えて、中空に形成した支持部材の上部に、ホルダを係止する固定具を摺動可能に装着する係止溝と、支持部材とカバー材の裏面とを密閉する気密材の取付溝とを一体に形成し、上記係止溝を間隙側に配したので、ジョイントカバーに関する支持部材とホルダと気密材の取り付けを互いに近い位置で行なうことができる。
さらに、前記支持部材の固定縁の端部を立ち上げて起立縁を形成し、かつ起立縁の上端からさらに外向きに返し縁を形成したので、起立縁の外側にコーキング材を打設する場合、コーキング材は返し縁によってその高さが抑えられるので、打ち込み作業が容易である。また、起立縁があるため、水切笠木の水切用ホルダ又は水切カバーの外側の垂下部を当接させる位置決め作業も容易となる。
【００４３】
請求項２又は請求項３に係る発明によれば、建築物躯体の他方がパラペット躯体でも壁躯体でも対応することができる。
【００４４】
請求項４又は請求項５に係る発明によれば、水切笠木の水切用ホルダ又は水切カバーの外側の垂下部は、パラペット躯体の支持部材の固定縁の端部に当接して配置されるので、それぞれを容易、確実に位置決めすることができる。
【００４５】
請求項６に係る発明によれば、パラペット躯体上面部の支持部材及び水切カバーの全面をジョイントカバーの内側に包み込み状態にして覆ったので、水切カバーには直接に雨水がかかることがない。したがって、美感に優れるほか、水切り効果が高く、雨仕舞がよいため、耐久性が向上する。
【図面の簡単な説明】
【図１】本発明に係るエキスパンションジョイント装置を左右異なる位置で切断した状態を示す断面図
【図２】支持部材２の一部の周辺の拡大図
【図３】一方がパラペット躯体、他方が壁躯体の場合のエキスパンションジョイント装置の例の断面図
【図４】他の例のエキスパンションジョイント装置の断面図
【図５】水切カバー部分の拡大図
【図６】一方がパラペット躯体、他方が壁躯体の場合のエキスパンションジョイント装置の例の断面図
【図７】支持部材の他の例の断面図
【符号の説明】
１  パラペット躯体
２  支持部材
４  ジョイントカバー
６  固定縁
８  起立縁
９  返し縁
１０  係合溝
１３  係止溝
１５  取付溝
１６  止水板
２５  水切笠木
３０  壁躯体
３５  水切カバー
【図１】
0003630390.tif 000002
【図２】
0003630390.tif 000003
【図３】
0003630390.tif 000004
【図４】
0003630390.tif 000005
【図５】
0003630390.tif 000006
【図６】
0003630390.tif 000007
【図７】
0003630390.tif 000008